(57)【要約】【課題】地球の引力はどのように成っているのか。磁気の光子の軌道エネルギーは一定である。磁気の光子の軌道エネルギーと引力の関係はどのように成っているのか。重力子は何か。【解決手段】これを単位で考える。Ｊ／ｍ＝Ｎであり、電子が１ｍ走る時のエネルギーは電子の力である。Ｊｍ＝Ｎｍ２であり、磁気の光子の軌道エネルギーは引力である。１電子により１秒間にできる磁気の光子のエネルギーは、１０−３１Ｊｍ＝１０−３１Ｎｍ２である。磁気の光子１個の軌道エネルギーは１０−５５Ｊｍ＝１０−５５Ｎｍ２であり、これは引力の最小単位であり、いわば重力子のようなものである。ボーア磁子とボーア半径により、磁気のエネルギーが磁気の光子の軌道エネルギー（引力）である事を検証する。地球と物質の間に働く引力はどれだけの電子によってできたものであるかを１０−３１Ｎｍ２で割り算をして知る。【選択図】図４
2006204095.tif 000002
【特許請求の範囲】
【請求項１】
本発明者は、２００６年１月２７日提出した特許願の「請求項６」において、電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。但し、この値は、原子の中で、電子のラブが秒速４×１０６ｍで走るとした場合です。原子の中で、陽子のラブが秒速２．１×１０３ｍで走るとした場合です。と記した。この事は何を意味するか。
電子のラブが１ｍ走ってできる光子のエネルギーは２×１０−２０Ｊ／ｍです。この単位は、１Ｊ／ｍ＝１Ｎですから、２×１０−２０Ｊ／ｍ＝２×１０−２０Ｎです。
即ち、電子のラブの力は、２×１０−２０Ｎであることを意味する。
同様に、陽子のラブの力は、３．８２×１０−１７Ｎである事を意味する。
【請求項２】
電子のラブが導線を走る時、電子のラブの力はいくらか。
電子のラブが導線を走る時、電子のラブの秒速を３×１０８ｍとしますと、１秒間の電子のエネルギーは８×１０−１４Ｊですから、１ｍ走る電子のエネルギーは、８×１０−１４Ｊ÷（３×１０８ｍ）＝２．６７×１０−２２Ｊです。
１秒間にできる光子のエネルギーは８×１０−１４Ｊですから、１ｍ走ってできる光子のエネルギーは、８×１０−１４Ｊ÷（３×１０８ｍ）＝２．６７×１０−２２Ｊです。
それで、電子のラブが導線を走る時、電子のラブの力は、２．６７×１０−２２Ｊ／ｍ＝２．６７×１０−２２Ｎです。
電子のラブの秒速をＡｍとすると、１ｍ走ってできる光子のエネルギーは、８×１０−１４÷ＡＪ／ｍですから、電子のラブの力は、８×１０−１４÷ＡＪ／ｍ＝８×１０−１４÷ＡＮです。
【請求項３】
磁気の光子の軌道×エネルギーは一定です。本発明者は１ｍの軌道に於ける１秒間の磁気の光子のエネルギーを１０−３１Ｊとしています。それで、磁気の光子の軌道×エネルギーは１０−３１Ｊ・ｍです。この事は何を意味するか。
磁気の光子の軌道×エネルギーは１０−３１Ｊ・ｍです。この単位Ｊ・ｍは、１Ｊ＝１Ｎｍですから、１Ｊｍ＝１Ｎｍ２です。これは万有引力の単位です。
磁気の光子の軌道×エネルギー＝１０−３１Ｊ・ｍ＝１０−３１Ｎｍ２です。
即ち、磁気の光子の１秒間の軌道エネルギーは１０−３１Ｊ・ｍで、１０−３１Ｎｍ２の引力を持っています。
【請求項４】
引力とは何か。
引力とは電子が１秒間に作り出す磁気の光子の軌道エネルギーです。この磁気の光子の軌道エネルギーは一定です。磁気の光子の１秒間の軌道エネルギーは１０−３１Ｊ・ｍで、１０−３１Ｎｍ２の引力を持っています。物質の引力は、物質の電子の数×電子が１秒間に放出する磁気の光子の軌道エネルギー（１０−３１Ｊ・ｍ）です。
【請求項５】
万有引力係数によって、１個の電子でできる引力（磁気の光子の軌道エネルギー）が得られる。  １個の電子でできる引力（磁気の光子の軌道×エネルギー）はどのように計算できるか。
○本発明者は、２００５年５月１０日提出した特願２００５−１６６１３４の「請求項１３」で、万有引力定数は６．６７２×１０−１１Ｎｍｍ／Ｋｇ２ですから、１０００ｇでできる万有引力は、（６．６７２×１０−１１）１／２Ｊ＝８．１６×１０−６Ｊです。１０００ｇには、１０００÷１２×６．０２２×１０２３個＝５×１０２５個の電子があります。１個の電子でできる万有引力は、８．１６×１０−６Ｊ÷（５×１０２５個）＝１．６３×１０−３１Ｊです。としています。
それで、本発明者は、磁気の光子の軌道エネルギーを１０−３１Ｊとしました。
アボガドロ数で算出しています。
それで、１Ｋｇに電子が５×１０２５個あるとすると、１０−３１Ｊｍ×５×１０２５個＝５×１０−６Ｊｍ＝５×１０−６Ｎｍ２です。
○１原子の質量は１．６６×１０−２７Ｋｇです。これで計算しますと、
１０００ｇの原子数は、１÷（１．６７×１０−２７Ｋｇ）＝６．０２４×１０２６個です。
１個の電子でできる引力（磁気の光子の軌道×エネルギー）は、８．１６×１０−６Ｊｍ÷（６．０２４×１０２６個）＝１．３６×１０−３２Ｊｍです。
この磁気の光子は、どの軌道でも軌道エネルギーは１．３６×１０−３２Ｊｍで、引力は１．３６×１０−３２Ｎｍ２です
○電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇです。これで計算しますと、
１０００ｇの原子数は、１÷（３．３４８４×１０−２７Ｋｇ）＝２．９８６５×１０２６個です。
１個の電子でできる引力（磁気の光子の軌道×エネルギー）は、８．１７×１０−６Ｊｍ÷（２．９９×１０２６個）＝２．７３×１０−３２Ｊｍです。これは理論値です。
この磁気の光子は、どの軌道でも軌道エネルギーは２．７３×１０−３２Ｊｍで、引力は２．７３×１０−３２Ｎｍ２です。
即ち、１０００ｇの中に存在する電子の数によって、１個の電子でできる引力（磁気の光子の軌道×エネルギー）は、違ってきます。
【請求項６】
ボーア磁子の場合、１個の電子で１秒間にできる引力はいくらか。１Ｋｇ中の電子の数はいくらか。
ボーア磁子は９．２７４×１０−２４Ｊ／Ｔですから、磁気の光子の束を解体すると、９．２７４×１０−２４Ｊ×１０−８＝９．２７４×１０−３２Ｊです。
１０００ｇの中の電子の個数をｘ個としますと、
９．２７４×１０−３２Ｊ・ｍ×ｘ＝８．１７×１０−６Ｊ・ｍ  ｘ＝８．１７×１０−６Ｊ・ｍ÷（９．２７４×１０−３２Ｊ・ｍ）＝８．８×１０２５個です。
ボーア磁子の場合は、１個の電子でできる引力（磁気の光子の軌道×エネルギー）は、９．２７４×１０−３２Ｊ・ｍ＝９．２７４×１０−３２Ｎｍ２です。
この磁気の光子は、どのような軌道でも、軌道エネルギーは９．２７４×１０−３２Ｊｍで、引力は９．２７４×１０−３２Ｎｍ２です。
１０００ｇの中の電子の数は８．８×１０２５個です。
１電子を含む質量はいくらか。
１Ｋｇ÷（８．８×１０２５個）＝１．１３６×１０−２６Ｋｇ
１電子を含む質量は１．１３６×１０−２６Ｋｇです。
これは、電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇの何倍か。
１．１３６×１０−２６Ｋｇ÷（３．３４８４×１０−２７Ｋｇ）＝３．４倍です。
この事は、電子の質量＋陽子の質量＋中性子の質量の３．４倍の質量の中に１個の電子が存在する事になります。
これはどうしてでしょうか。
【請求項７】
ボーア磁子の１電子でできる引力（磁気の光子の軌道エネルギー）は、万有引力係数によって求められた１電子でできる引力（磁気の光子の軌道エネルギー）の何倍か。
ボーア磁子の１電子でできる引力（磁気の光子の軌道エネルギー）は、９．２７４×１０−３２Ｊ・ｍ＝９．２７４×１０−３２Ｎｍ２です。
万有引力係数によって求められた１電子でできる引力（磁気の光子の軌道エネルギー）は、電子の質量＋陽子の質量＋中性子の質量＝３．３４８４×１０−２７Ｋｇで計算しますと、２．７３×１０−３２Ｊｍです。
それで、ボーア磁子の１電子でできる引力（磁気の光子の軌道エネルギー）は、万有引力係数によって求められた１電子でできる引力（磁気の光子の軌道エネルギー）の、
９．２７４×１０−３２Ｊ・ｍ÷２．７３×１０−３２Ｊｍ＝３．４倍です。
【請求項８】
ボーア磁子の１電子でできる引力（磁気の光子の軌道エネルギー）は、万有引力係数によって求められた１電子でできる引力（磁気の光子の軌道エネルギー）の、３．４倍です。この事は何を意味するのか。
磁気の光子の軌道エネルギー（引力）は、電子のラブの公転軌道×１０−８×８×１０−３８Ｊ×１０２４回であるから、磁気の光子の軌道エネルギー（引力）が３．４倍であるという事は、公転軌道が３．４倍であるという事です。
これは、電子と電子の間には引力が働くからです。
ボーア磁子は、原子の電子が単独の磁気エネルギーです。
物質となっている電子の公転軌道より、電子が単独で回転する公転軌道が大きくなっている。３．４倍になっているからであると考えられます。
電子が単独で公転する場合、電子のラブの公転軌道は、物質となっている電子のラブの公転軌道の３．４倍に成っている。
この事は、物質と成っている電子のラブの公転軌道は、ボーア直径の３．４分の１である事を意味する。
ボーア半径は、５．２９１７７×１０−１１ｍですから、直径は１．０５８３５×１０−１０ｍです。
それで、物質となっている電子のラブの公転軌道は、１．０５８３５×１０−１０ｍ÷３．４＝３．１×１０−１１ｍです。
よって、物質となっている電子のラブが１秒間に作る磁気の光子の軌道エネルギー（引力）は、
３．１×１０−１１ｍ×１０−８×８×１０−３８Ｊ×１０２４回転＝２．４８×１０−３２Ｊｍです。
【請求項９】
本発明者は１個の電子で１秒間にできる引力（磁気の光子の軌道×エネルギー）を、１０−３１Ｊ・ｍとしています。この場合、１Ｋｇの中に存在する電子の数はいくらか。
１０００ｇの中の電子の個数をｘ個としますと、
１０−３１Ｊ・ｍ×ｘ＝８．１７×１０−６Ｊ・ｍ  ｘ＝８．１７×１０−６Ｊ・ｍ÷１０−３１Ｊ・ｍ＝８．１７×１０２５個です。
１Ｋｇの中に存在する電子の数は８．１７×１０２５個です。
１電子を含む質量はいくらか。
１Ｋｇ÷（８．１７×１０２５個）＝１．２２４×１０−２６Ｋｇ
１電子を含む質量は１．２２４×１０−２６Ｋｇです。
これは、電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇの何倍か。
１．２２４×１０−２６Ｋｇ÷（３．３４８４×１０−２７Ｋｇ）＝３．６６倍です。
【請求項１０】
核磁子の場合、磁気の光子の引力はいくらか。
核磁子は５．０５０８×１０−２７Ｊ／Ｔですから、磁気の光子の束を解体すると、５．０５０８×１０−２７Ｊ×１０−８＝５．０５０８×１０−３５Ｊです。
核磁子の場合は、１個の陽子でできる引力（磁気の光子の軌道×エネルギー）は、５．０５０８×１０−３５Ｊ・ｍ＝５．０５０８×１０−３５Ｎｍ２です。核磁子の引力は５．０５０８×１０−３５Ｎｍ２です。
【請求項１１】
万有引力定数とは何か。
万有引力定数＝６．６７×１０−１１Ｎｍ２＝６．６７×１０−１１Ｊｍ＝（８．１７×１０−６Ｊｍ）２＝（１０−３１Ｊｍ×８．１７×１０２５個）２
即ち、万有引力定数とは、１Ｋｇの中の量子（８．１７×１０２５個）が１秒間に作り出す引力（磁気の光子の軌道エネルギー）×１Ｋｇの中の電子（８．１７×１０２５個）が１秒間に作り出す引力（磁気の光子の軌道エネルギー）です。距離を１ｍとした場合です。
【請求項１２】
万有引力定数である、６．６７×１０−１１Ｎｍ２は何個の電子によってできた引力か。それは、１Ｋｇの電子の数とどのような関係であるか。
万有引力定数である、６．６７×１０−１１Ｎｍ２は何個の磁気の光子のエネルギーか。
６．６７×１０−１１Ｎｍ２÷１０−３１Ｊｍ＝６．６７×１０２０個の磁気の光子です。
６．６７×１０２０個の電子からできた磁気の光子です。
これは、１Ｋｇの電子の何倍か。
６．６７×１０２０個÷（８．１７×１０２５個）＝８．１７×１０−６倍です。
万有引力になる引力は何個の電子でできる引力か。
６．６７×１０２０個＝８．１７×１０２５個×８．１７×１０−６＝１Ｋｇの電子の数×１Ｋｇの電子の数でできた磁気の光子の軌道エネルギー＝８．１７×１０２５個×８．１７×１０２５個×１０−３１＝（１Ｋｇの電子の数）２×１電子で１秒間にできる磁気の光子の軌道エネルギー
万有引力になる引力は、
（１Ｋｇの電子の数）２×１電子でできる磁気の光子の軌道エネルギー
の式で得られる個数の電子によってできる。
【請求項１３】
物質Ａｋｇと物質ＢＫｇの間の引力は何個の電子によってできた引力か。
物質ＡＫｇの電子の数×物質ＢＫｇの電子の数×１電子で１秒間にできる磁気の光子の軌道エネルギー＝Ａ×８．１７×１０２５個×Ｂ×８．１７×１０２５個×１０−３１＝６．６７×１０２０×Ａ×Ｂ個
物質Ａｋｇと物質ＢＫｇの間の引力は、６．６７×１０２０×Ａ×Ｂ個の電子によってできた引力です。
【請求項１４】
地球の引力について。
地球の引力は地球の磁気の光子です。地球の質量は５．９７４×１０２４Ｋｇです。
地球の質量にはいくつの電子があるか。
本発明者は、１電子から１秒間にできる磁気の光子の軌道エネルギーを１０−３１Ｊとして考えていますから、１電子を含む質量は１．２２４×１０−２６Ｋｇです。
地球の質量の中の電子は、５．９７４×１０２４Ｋｇ÷（１．２２４×１０−２６Ｋｇ）＝４．８８×１０５０個です。
４．８８×１０５０個の電子が１秒間に作る引力（磁気の光子の軌道エネルギー）はいくらか。
４．８８×１０５０個×１０−３１Ｊｍ＝４．８８×１０１９Ｊｍ＝４．８８×１０１９Ｎｍ２
地球の電子が１秒間に作る引力は、４．８８×１０１９Ｎｍ２です。
【請求項１５】
地球と物質ＡＫｇの間の引力は何個の電子によってできた引力か。
地球の質量の中の電子の数×物質ＡＫｇの電子の数×１電子で１秒間にできる磁気の光子の軌道エネルギー＝４．８８×１０５０個×Ａ×８．１７×１０２５個×１０−３１＝３．９８７×１０４５×Ａ個
地球と物質ＡＫｇの間の引力は４×１０４５×Ａ個の電子によってできた引力です。
【請求項１６】
地球の引力が地上の物質１Ｋｇに及ぼす引力は、距離を地球の半径として求められる。この根拠は何であるか。地球の作る磁気の光子の量と回転方向について。物質が作る磁気の光子の量と回転方向について。物質が地球に引かれる原理。
○地球の引力が地上の物質１Ｋｇに及ぼす引力は、距離を地球の半径として求められる。この根拠は何であるか。
地球のエネルギーは、中央になるほど大きくなる。これは電磁気のエネルギーが大きいからです。電磁気のエネルギーが大きく、軌道は小さいからです。しかし、電磁気である光子の軌道×エネルギーの値は一定です。磁気の光子の軌道×エネルギー（軌道エネルギー）は、１０−３１Ｊｍ＝１０−３１Ｎｍ２です。（本発明者は、１Ｋｇの中に存在する電子の数は８．１７×１０２５個であると考え、１電子を含む質量は１．２２４×１０−２６Ｋｇであると考え、磁気の光子の軌道エネルギーを１０−３１Ｊｍ＝１０−３１Ｎｍ２と考えています。）
それで、地球の中心も、地球のマグマの部分も、地表も、磁気の光子の軌道エネルギーは一定です。１０−３１Ｊｍです。
地球の中心も、地球のマグマの部分も、地表も磁気の光子の軌道エネルギー（引力）は一定です。１０−３１Ｊｍ＝１０−３１Ｎｍ２です。
地球の中心から地表まで、存在する磁気の光子の軌道エネルギー（引力）は１０−３１Ｊｍ＝１０−３１Ｎｍ２です。
それで、地球全体で、電子が１秒間に作る磁気の光子の軌道エネルギー（引力）は、４．８８×１０５０個×１０−３１Ｊｍ＝４．８８×１０１９Ｊｍ＝４．８８×１０１９Ｎｍ２です。
１Ｋｇの物質で１電子から１秒間にできる磁気の光子の軌道エネルギーも１０−３１Ｊｍです。
１Ｋｇの物質の電子が１秒間に作る磁気の光子の軌道エネルギーは、８．１７×１０２５個×１０−３１Ｊｍ＝８．１７×１０−６Ｊｍ＝８．１７×１０−６Ｎｍ２です。
即ち、地球で１電子から１秒間にできる磁気の光子の引力は１０−３１Ｊｍであり、４．８８×１０５０個の電子でできているから、地球全体で１秒間にできる磁気の光子の引力は、４．８８×１０１９Ｎｍ２である。
１Ｋｇの物質で１電子から１秒間にできる磁気の光子の引力は１０−３１Ｊｍであり、８．１７×１０２５個の電子でできているから、１Ｋｇの物質で１秒間にできる磁気の光子の引力は、８．１７×１０−６Ｎｍ２である。
地球の中とその周囲、１Ｋｇの物質の中とその周囲には、１電子から１秒間にできた１０−３１Ｎｍ２の磁気の光子が満ちている。
この磁気の光子は、地球の中心から地球の外側に向かって走る。
この磁気の光子は、物質の中心から外側に向かって走る。
それで、引力の中心から、引力の中心までを距離とする。
○地球の作る磁気の光子の量と回転方向について。物質が作る磁気の光子の量と回転方向について。物質が地球に引かれる原理。
地球の電子の回転方向と物質の電子の回転方向が同じなので、地球の電子が作る磁気の光子と、物質が作る磁気の光子は、同じ方向に回転するので引く力になる。
地球の作る磁気の光子の量は、１Ｋｇの物質の作る磁気の光子の量の何倍か。
地球全体で１秒間にできる磁気の光子の引力は、４．８８×１０１９Ｎｍ２である。
１Ｋｇの物質で１秒間にできる磁気の光子の引力は、８．１７×１０−６Ｎｍ２である。
地球の作る磁気の光子の量は、１Ｋｇの物質の作る磁気の光子の量の、
４．８８×１０１９Ｎｍ２÷（８．１７Ｘ１０−６Ｎｍ２）＝５．９７×１０２４倍です。
地球の作る磁気の光子の量は、１Ｋｇの物質の作る磁気の光子の量の、５．９７×１０２４倍ですから、引力は５．９７×１０２４倍なので、地球に引かれる。
地球の作る磁気の光子の量は、地球の質量÷物質の質量  倍です。
【請求項１７】
地球の引力と、ＭＫｇの物質の引力によってできる引力。
Ｆ＝地球の引力×ＭＫｇの物質の引力÷距離２＝地球の電子が１秒間に作る磁気の光子の軌道エネルギー×ＭＫｇの物質の電子が１秒間に作る磁気の光子の軌道エネルギー÷地球の半径２＝１０−３１Ｊｍ×４．８８×１０５０個×Ｍ×１０−３１Ｊｍ×８．１７×１０２５個÷地球の半径２＝４．８８×１０１９Ｊｍ×Ｍ×８．１７×１０−６Ｊｍ÷（６．３７８×１０６）２＝９．８Ｊｍ×Ｍ＝９．８ＭＮｍ２
【請求項１８】
重力をつかさどる素粒子である重力子は無い。あえて言うならば、重力（引力）の原因となっている重力因子（引力因子）は１個の磁気の光子である。地球の磁気の光子１個の軌道エネルギー（引力因子の引力）はどれ位か。
１電子が１秒間に作る磁気の光子の軌道エネルギーは１０−３１Ｊｍ＝１０−３１Ｎｍ２です。
１電子が１秒間に作る磁気の光子の数は１０２４個ですから、１個の磁気の光子の軌道エネルギーは、１０−３１−２４Ｊｍ＝１０−５５Ｊｍ＝１０−５５Ｎｍ２です。
この軌道エネルギーは、電子の自転によって磁気の光子ができたときの軌道×エネルギーです。
自転軌道は１．２５×１０−１８ｍです。エネルギーは８×１０−３８Ｊです。
磁気の光子１個の軌道×エネルギー＝１．２５×１０−１８ｍ×８×１０−３８Ｊ＝１０−５５Ｊｍ＝１０−５５Ｎｍ２です。
この磁気の光子１個が、重力と引力の原因と成っている重力因子（引力因子）です。地球の磁気の光子１個の軌道エネルギー（引力因子の引力）は、１０−５５Ｊｍ＝１０−５５Ｎｍ２です。
１０２４個で１０−３１Ｊｍ＝１０−３１Ｎｍ２です。
【請求項１９】
ボーア半径から算出する、磁気の光子１個の軌道エネルギー（引力因子の引力）と、１秒間にできる磁気の光子の軌道エネルギー（引力）はいくらか。
ボーア半径は５．２９１７７×１０−１１ｍですから、直径は１．０５８３５×１０−１０ｍです。自転軌道は１．０５８３５×１０−１８ｍです。１自転でできる磁気の光子のエネルギーは８×１０−３８Ｊです。
それで、１自転の軌道エネルギーは、１．０５８３５×１０−１８ｍ×８×１０−３８Ｊ＝８．４６６８×１０−５６Ｊｍです。
磁気の光子１個の軌道エネルギー（引力因子の引力）は、８．４６６８×１０−５６Ｊｍ＝８．４６６８×１０−５６Ｎｍ２です。
１電子で１秒間にできる磁気の光子の軌道エネルギー（引力）は、１．０５８３５×１０−１８ｍ×８×１０−３８Ｊ×１０２４＝８．４６６８×１０−３２Ｊｍ＝８．４６６８×１０−３２Ｎｍ２です。
【請求項２０】
ボーア直径は、物質となっている電子のラブの公転軌道の何倍か。物質と成っている電子のラブの公転軌道はどれ位か。図５
ボーア半径から算出した１電子で１秒間にできる磁気の光子の軌道エネルギー（引力）は、万有引力から算出した１電子で１秒間にできる磁気の光子の軌道エネルギー（引力）の何倍か。
８．４６６８×１０−３２Ｎｍ２÷（２．７３×１０−３２Ｎｍ２）＝３．１倍です。
それで、ボーア直径は、物質となっている電子のラブの公転軌道の３．１倍です。
物質と成っている電子のラブの公転軌道は、ボーア直径の３．１分の１です。
５．２９１７７×１０−１１ｍ×２÷３．１＝３．４１４×１０−１１ｍです。
よって、物質と成っている電子のラブが１秒間に作る磁気の光子の軌道エネルギー（引力）は、３．４１４×１０−１１ｍ×１０−８×８×１０−３８Ｊ×１０２４回＝２．７３×１０−３２Ｊｍです。
これは、万有引力で得た値と同じです。
【請求項２１】
ボーア磁子とボーア半径から得られた、１秒間にできる磁気の光子の軌道エネルギー（引力）を比較するとどのようであるか。
ボーア磁子では、１秒間にできる磁気の光子の軌道エネルギー（引力）は、９．２７４×１０−３２Ｊ・ｍ＝９．２７４×１０−３２Ｎｍ２です。
ボーア半径では、１秒間にできる磁気の光子の軌道エネルギー（引力）は、８．４６６８×１０−３２Ｊｍ＝８．４６６８×１０−３２Ｎｍ２です。
ほぼ同じ値です。
【請求項２２】
ボーア半径と本発明者の電子の軌道と、ボーア磁子と本発明者の１秒間にできる磁気の光子の軌道エネルギーの比較はどのようであるか。
ボーア直径は１．０５８３５×１０−１０ｍで、磁気の光子１個の軌道エネルギー（引力因子）は８．４７×１０−５６Ｊｍで、１秒間にできる磁気の光子の軌道エネルギー（引力）は、８．４７×１０−３２Ｊｍです。
ボーア磁子は９．２７４×１０−２４Ｊ／Ｔで、１秒間にできる磁気の光子の軌道エネルギー（引力）は、９．２７４×１０−３２Ｊｍです。
本発明者の電子の公転は１．２５×１０−１０ｍで、磁気の光子１個の軌道エネルギー（引力因子）は１０−５５Ｊｍで、１秒間にできる磁気の光子の軌道エネルギー（引力）は１０−３１Ｊｍです。
よって、ボーア半径と本発明者の電子の軌道と、ボーア磁子と本発明者の１秒間にできる磁気の光子の軌道エネルギーは大差ない。
【発明の詳細な説明】
【技術分野】
【０００１】  本発明は電子の力と陽子の力に関する。磁気の光子の軌道エネルギーが引力である事に関する。ボーア半径、ボーア磁子、万有引力係数、引力、物質の引力、物質と物質との引力、地球の引力に関する。
【背景技術】
【０００２】  本発明者は、２００６年１月２７日提出した特許願の「請求項６」において、電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。と記した。１電子が１秒間に作る磁気の光子の軌道×エネルギーは１０−３１Ｊ・ｍです。光子の軌道×エネルギーは一定です。
【発明の開示】
電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。この単位は１Ｊ／ｍ＝１Ｎであり、力です。電子のラブには２×１０−２０Ｊ／ｍ＝２×１０−２０Ｎの力があり、陽子のラブには３．８２×１０−１７Ｊ／ｍ＝３．８２×１０−１７Ｎの力がある。
１電子が１秒間に作る磁気の光子の軌道×エネルギーは１０−３１Ｊ・ｍです。この単位は１Ｊ＝１Ｎｍですから、１Ｊｍ＝１Ｎｍ２であり、引力の単位です。即ち、１電子が１秒間に作る磁気の光子の軌道×エネルギーは１０−３１Ｊ・ｍ＝１０−３１Ｎ２ｍで引力です。
【発明が解決しようとする課題】
【０００３】１．電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。この事は何を意味するか。
２．電子のラブが導線を走る時、電子のラブの力はいくらか。
３．磁気の光子の軌道×エネルギーは一定です。本発明者は１ｍの軌道に於ける磁気の光子のエネルギーを１０−３１Ｊとしています。それで、磁気の光子の軌道×エネルギーは１０−３１Ｊ・ｍです。この事は何を意味するか。
４．引力とは何か。
５．１個の電子でできる引力（磁気の光子の軌道×エネルギー）はどのように計算できるか。
６．ボーア磁子の場合、１個の電子で１秒間にできる引力はいくらか。１Ｋｇ中の電子の数はいくらか。
７．ボーア磁子の１電子でできる引力（磁気の光子の軌道エネルギー）は、万有引力係数によって求められた１電子でできる引力（磁気の光子の軌道エネルギー）の何倍か。
８．ボーア磁子の１電子でできる引力（磁気の光子の軌道エネルギー）は、万有引力係数によって求められた１電子でできる引力（磁気の光子の軌道エネルギー）の、３．４倍です。この事は何を意味するのか。
９．本発明者は１個の電子で１秒間にできる引力（磁気の光子の軌道×エネルギー）を、１０−３１Ｊ・ｍとしいます。この場合、１Ｋｇの中に存在する電子の数はいくらか。
１０．核磁子の場合、磁気の光子の引力はいくらか。
１１．万有引力定数とは何か。
１２．万有引力定数である、６．６７×１０−１１Ｎｍ２は何個の電子によってできた引力か。それは、１Ｋｇの電子の数とどのような関係であるか。
１３．物質Ａｋｇと物質ＢＫｇの間の引力は何個の電子によってできた引力か。
１４．地球の引力について。
１５．地球と物質ＡＫｇの間の引力は何個の電子によってできた引力か。
１６．地球の引力が地上の物質１Ｋｇに及ぼす引力は、距離を地球の半径として求められる。この根拠は何であるか。地球の作る磁気の光子の量と回転方向について。物質が作る磁気の光子の量と回転方向について。物質が地球に引かれる原理。
１７．地球の引力と、ＭＫｇの物質の引力によってできる引力。
１８．重力をつかさどる素粒子である重力子は無い。あえて言うならば、重力（引力）の原因となっている重力因子（引力因子）は１個の磁気の光子である。地球の磁気の光子１個の軌道エネルギー（引力因子の引力）はどれ位か。
１９．ボーア半径から算出する、磁気の光子１個の軌道エネルギー（引力因子の引力）と、１秒間にできる磁気の光子の軌道エネルギー（引力）はいくらか。
２０．ボーア直径は、物質となっている電子のラブの公転軌道の何倍か。物質と成っている電子のラブの公転軌道はどれ位か。
２１．ボーア磁子とボーア半径から得られた、１秒間にできる磁気の光子の軌道エネルギー（引力）を比較するとどのようであるか。
２２．ボーア半径と本発明者の電子の軌道と、ボーア磁子と本発明者の１秒間にできる磁気の光子の軌道エネルギーの比較はどのようであるか。
【課題を解決するための手段】
【０００４】  今回は単位から理解する。
電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。この単位は１Ｊ／ｍ＝１Ｎであり、力です。電子のラブには２×１０−２０Ｊ／ｍ＝２×１０−２０Ｎの力があり、陽子のラブには３．８２×１０−１７Ｊ／ｍ＝３．８２×１０−１７Ｎの力がある。
本発明者は磁気の光子は引力を作る事は理解していたが、今回は、磁気の光子の軌道エネルギーの単位はＪｍであり、これはＮｍ２であるので、確実に引力であると理解できる。磁気の光子の軌道エネルギーは一定である。この一定である軌道エネルギーが一定の引力になる。
万有引力係数によって、１電子でできる磁気の光子の軌道エネルギー（引力）が理解できます。
又、電子のラブの公転軌道によって、１電子でできる磁気の光子の軌道エネルギー（引力）が理解できます。
この事はボーア磁子とボーア半径によって検証できる。
ボーア磁子とボーア半径によって得られる、１電子でできる磁気の光子の軌道エネルギー（引力）は、万有引力係数によって得られる、１電子によってできる磁気の光子の軌道エネルギー（引力）の３．４倍です。この事は何を意味しているかを考える。
１Ｋｇと１Ｋｇの間には、１Ｋｇの中の電子の数×１Ｋｇの中の電子の数×１０−３１個の電子が存在し、これら個数の電子が引力（磁気の光子の軌道エネルギー）を作っている。
この事から、地球とＡＫｇの物質の間には、地球の質量に存在する電子の数×Ａｋｇに存在する電子の数×１０−３１個の電子が存在し、これら個数の電子が引力（磁気の光子の軌道エネルギー）を作っている事が理解できる。
重力子は存在しない。地球において、磁気の光子１個の軌道エネルギーが引力の基となっている。
【発明の実施態様】
【０００５】１．  本発明者は、２００６年１月２７日提出した特許願の「請求項６」において、電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。但し、この値は、原子の中で、電子のラブが秒速４×１０６ｍで走るとした場合です。原子の中で、陽子のラブが秒速２．１×１０３ｍで走るとした場合です。と記した。この事は何を意味するか。図１
電子のラブが１ｍ走ってできる光子のエネルギーは２×１０−２０Ｊ／ｍです。この単位は、１Ｊ／ｍ＝１Ｎですから、２×１０−２０Ｊ／ｍ＝２×１０−２０Ｎです。
即ち、電子のラブの力は、２×１０−２０Ｎであることを意味する。
同様に、陽子のラブの力は、３．８２×１０−１７Ｎである事を意味する。
２．  電子のラブが導線を走る時、電子のラブの力はいくらか。
電子のラブが導線を走る時、電子のラブの秒速を３×１０８ｍとしますと、１秒間の電子のエネルギーは８×１０−１４Ｊですから、１ｍ走る電子のエネルギーは、８×１０−１４Ｊ÷（３×１０８ｍ）＝２．６７×１０−２２Ｊです。
１秒間にできる光子のエネルギーは８×１０−１４Ｊですから、１ｍ走ってできる光子のエネルギーは、８×１０−１４Ｊ÷（３×１０８ｍ）＝２．６７×１０−２２Ｊです。
それで、電子のラブが導線を走る時、電子のラブの力は、２．６７×１０−２２Ｊ／ｍ＝２．６７×１０−２２Ｎです。
電子のラブの秒速をＡｍとすると、１ｍ走ってできる光子のエネルギーは、８×１０−１４÷ＡＪ／ｍですから、電子のラブの力は、８×１０−１４÷ＡＪ／ｍ＝８×１０−１４÷ＡＮです。
３．  磁気の光子の軌道×エネルギーは一定です。本発明者は１ｍの軌道に於ける１秒間の磁気の光子のエネルギーを１０−３１Ｊとしています。それで、磁気の光子の軌道×エネルギーは１０−３１Ｊ・ｍです。この事は何を意味するか。
磁気の光子の軌道×エネルギーは１０−３１Ｊ・ｍです。この単位Ｊ・ｍは、１Ｊ＝１Ｎｍですから、１Ｊｍ＝１Ｎｍ２です。これは万有引力の単位です。
磁気の光子の軌道×エネルギー＝１０−３１Ｊ・ｍ＝１０−３１Ｎｍ２です。
即ち、磁気の光子の１秒間の軌道エネルギーは１０−３１Ｊ・ｍで、１０−３１Ｎｍ２の引力を持っています。
４．  引力とは何か。
引力とは電子が１秒間に作り出す磁気の光子の軌道エネルギーです。この磁気の光子の軌道エネルギーは一定です。磁気の光子の１秒間の軌道エネルギーは１０−３１Ｊ・ｍで、１０−３１Ｎｍ２の引力を持っています。物質の引力は、物質の電子の数×電子が１秒間に放出する磁気の光子の軌道エネルギー（１０−３１Ｊ・ｍ）です。
５．  万有引力係数によって、１個の電子でできる引力（磁気の光子の軌道エネルギー）が得られる。  １個の電子でできる引力（磁気の光子の軌道×エネルギー）はどのように計算できるか。
○本発明者は、２００５年５月１０日提出した特願２００５−１６６１３４の「請求項１３」で、万有引力定数は６．６７２×１０−１１Ｎｍｍ／Ｋｇ２ですから、１０００ｇでできる万有引力は、（６．６７２×１０−１１）１／２Ｊ＝８．１６×１０−６Ｊです。１０００ｇには、１０００÷１２×６．０２２×１０２３個＝５×１０２５個の電子があります。１個の電子でできる万有引力は、８．１６×１０−６Ｊ÷（５×１０２５個）＝１．６３×１０−３１Ｊです。としています。
それで、本発明者は、磁気の光子の軌道エネルギーを１０−３１Ｊとしました。
アボガドロ数で算出しています。
それで、１Ｋｇに電子が５×１０２５個あるとすると、１０−３１Ｊｍ×５×１０２５個＝５×１０−６Ｊｍ＝５×１０−６Ｎｍ２です。
○１原子の質量は１．６６×１０−２７Ｋｇです。これで計算しますと、図２
１０００ｇの原子数は、１÷（１．６７×１０−２７Ｋｇ）＝６．０２４×１０２６個です。
１個の電子でできる引力（磁気の光子の軌道×エネルギー）は、８．１６×１０−６Ｊｍ÷（６．０２４×１０２６個）＝１．３６×１０−３２Ｊｍです。
この磁気の光子は、どの軌道でも軌道エネルギーは１．３６×１０−３２Ｊｍで、引力は１．３６×１０−３２Ｎｍ２です
○電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇです。これで計算しますと、図３
１０００ｇの原子数は、１÷（３．３４８４×１０−２７Ｋｇ）＝２．９８６５×１０２６個です。
１個の電子でできる引力（磁気の光子の軌道×エネルギー）は、８．１７×１０−６Ｊｍ÷（２．９９×１０２６個）＝２．７３×１０−３２Ｊｍです。これは理論値です。
この磁気の光子は、どの軌道でも軌道エネルギーは２．７３×１０−３２Ｊｍで、引力は２．７３×１０−３２Ｎｍ２です。
即ち、１０００ｇの中に存在する電子の数によって、１個の電子でできる引力（磁気の光子の軌道×エネルギー）は、違ってきます。
６．  ボーア磁子の場合、１個の電子で１秒間にできる引力はいくらか。１Ｋｇ中の電子の数はいくらか。図４
ボーア磁子は９．２７４×１０−２４Ｊ／Ｔですから、磁気の光子の束を解体すると、９．２７４×１０−２４Ｊ×１０−８＝９．２７４×１０−３２Ｊです。
１０００ｇの中の電子の個数をｘ個としますと、
９．２７４×１０−３２Ｊ・ｍ×ｘ＝８．１７×１０−６Ｊ・ｍ  ｘ＝８．１７×１０−６Ｊ・ｍ÷（９．２７４×１０−３２Ｊ・ｍ）＝８．８×１０２５個です。
ボーア磁子の場合は、１個の電子でできる引力（磁気の光子の軌道×エネルギー）は、９．２７４×１０−３２Ｊ・ｍ＝９．２７４×１０−３２Ｎｍ２です。
この磁気の光子は、どのような軌道でも、軌道エネルギーは９．２７４×１０−３２Ｊｍで、引力は９．２７４×１０−３２Ｎｍ２です。
１０００ｇの中の電子の数は８．８×１０２５個です。
１電子を含む質量はいくらか。
１Ｋｇ÷（８．８×１０２５個）＝１．１３６×１０−２６Ｋｇ
１電子を含む質量は１．１３６×１０−２６Ｋｇです。
これは、電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇの何倍か。
１．１３６×１０−２６Ｋｇ÷（３．３４８４×１０−２７Ｋｇ）＝３．４倍です。
この事は、電子の質量＋陽子の質量＋中性子の質量の３．４倍の質量の中に１個の電子が存在する事になります。
これはどうしてでしょうか。
７．  ボーア磁子の１電子でできる引力（磁気の光子の軌道エネルギー）は、万有引力係数によって求められた１電子でできる引力（磁気の光子の軌道エネルギー）の何倍か。
ボーア磁子の１電子でできる引力（磁気の光子の軌道エネルギー）は、９．２７４×１０−３２Ｊ・ｍ＝９．２７４×１０−３２Ｎｍ２です。
万有引力係数によって求められた１電子でできる引力（磁気の光子の軌道エネルギー）は、電子の質量＋陽子の質量＋中性子の質量＝３．３４８４×１０−２７Ｋｇで計算しますと、２．７３×１０−３２Ｊｍです。
それで、ボーア磁子の１電子でできる引力（磁気の光子の軌道エネルギー）は、万有引力係数によって求められた１電子でできる引力（磁気の光子の軌道エネルギー）の、
９．２７４×１０−３２Ｊ・ｍ÷２．７３×１０−３２Ｊｍ＝３．４倍です。
８．  ボーア磁子の１電子でできる引力（磁気の光子の軌道エネルギー）は、万有引力係数によって求められた１電子でできる引力（磁気の光子の軌道エネルギー）の、３．４倍です。この事は何を意味するのか。
磁気の光子の軌道エネルギー（引力）は、電子のラブの公転軌道×１０−８×８×１０−３８Ｊ×１０２４回であるから、磁気の光子の軌道エネルギー（引力）が３．４倍であるという事は、公転軌道が３．４倍であるという事です。
これは、電子と電子の間には引力が働くからです。
ボーア磁子は、原子の電子が単独の磁気エネルギーです。
物質となっている電子の公転軌道より、電子が単独で回転する公転軌道が大きくなっている。３．４倍になっているからであると考えられます。
電子が単独で公転する場合、電子のラブの公転軌道は、物質となっている電子のラブの公転軌道の３．４倍に成っている。
この事は、物質と成っている電子のラブの公転軌道は、ボーア直径の３．４分の１である事を意味する。
ボーア半径は、５．２９１７７×１０−１１ｍですから、直径は１．０５８３５×１０−１０ｍです。
それで、物質となっている電子のラブの公転軌道は、１．０５８３５×１０−１０ｍ÷３．４＝３．１×１０−１１ｍです。
よって、物質となっている電子のラブが１秒間に作る磁気の光子の軌道エネルギー（引力）は、
３．１×１０−１１ｍ×１０−８×８×１０−３８Ｊ×１０２４回転＝２．４８×１０−３２Ｊｍです。
９．  本発明者は１個の電子で１秒間にできる引力（磁気の光子の軌道×エネルギー）を、１０−３１Ｊ・ｍとしています。この場合、１Ｋｇの中に存在する電子の数はいくらか。
１０００ｇの中の電子の個数をｘ個としますと、
１０−３１Ｊ・ｍ×ｘ＝８．１７×１０−６Ｊ・ｍ  ｘ＝８．１７×１０−６Ｊ・ｍ÷１０−３１Ｊ・ｍ＝８．１７×１０２５個です。
１Ｋｇの中に存在する電子の数は８．１７×１０２５個です。
１電子を含む質量はいくらか。
１Ｋｇ÷（８．１７×１０２５個）＝１．２２４×１０−２６Ｋｇ
１電子を含む質量は１．２２４×１０−２６Ｋｇです。
これは、電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇの何倍か。
１．２２４×１０−２６Ｋｇ÷（３．３４８４×１０−２７Ｋｇ）＝３．６６倍です。
１０．  核磁子の場合、磁気の光子の引力はいくらか。
核磁子は５．０５０８×１０−２７Ｊ／Ｔですから、磁気の光子の束を解体すると、５．０５０８×１０−２７Ｊ×１０−８＝５．０５０８×１０−３５Ｊです。
核磁子の場合は、１個の陽子でできる引力（磁気の光子の軌道×エネルギー）は、５．０５０８×１０−３５Ｊ・ｍ＝５．０５０８×１０−３５Ｎｍ２です。核磁子の引力は５．０５０８×１０−３５Ｎｍ２です。
１１．  万有引力定数とは何か。
万有引力定数＝６．６７×１０−１１Ｎｍ２＝６．６７×１０−１１Ｊｍ＝（８．１７×１０−６Ｊｍ）２＝（１０−３１Ｊｍ×８．１７×１０２５個）２
即ち、万有引力定数とは、１Ｋｇの中の電子（８．１７×１０２５個）が１秒間に作り出す引力（磁気の光子の軌道エネルギー）×１Ｋｇの中の電子（８．１７×１０２５個）が１秒間に作り出す引力（磁気の光子の軌道エネルギー）です。距離を１ｍとした場合です。
１２．  万有引力定数である、６．６７×１０−１１Ｎｍ２は何個の電子によってできた引力か。それは、１Ｋｇの電子の数とどのような関係であるか。
万有引力定数である、６．６７×１０−１１Ｎｍ２は何個の磁気の光子のエネルギーか。
６．６７×１０−１１Ｎｍ２÷１０−３１Ｊｍ＝６．６７×１０２０個の磁気の光子です。
６．６７×１０２０個の電子によってできた磁気の光子です。
これは、１Ｋｇの電子の何倍か。
６．６７×１０２０個÷（８．１７×１０２５個）＝８．１７×１０−６倍です。
万有引力になる引力は何個の電子によってできる引力か。
６．６７×１０２０個＝８．１７×１０２５個×８．１７×１０−６＝１Ｋｇの電子の数×１Ｋｇの電子の数でできた磁気の光子の軌道エネルギー＝８．１７×１０２５個×８．１７×１０２５個×１０−３１＝（１Ｋｇの電子の数）２×１電子で１秒間にできる磁気の光子の軌道エネルギー
万有引力になる引力は、
（１Ｋｇの電子の数）２×１電子でできる磁気の光子の軌道エネルギー
の式で得られる個数の電子によってできる。
１３．  物質Ａｋｇと物質ＢＫｇの間の引力は何個の電子によってできた引力か。図６
物質ＡＫｇの電子の数×物質ＢＫｇの電子の数×１電子で１秒間にできる磁気の光子の軌道エネルギー＝Ａ×８．１７×１０２５個×Ｂ×８．１７×１０２５個×１０−３１＝６．６７×１０２０×Ａ×Ｂ個
物質Ａｋｇと物質ＢＫｇの間の引力は、６．６７×１０２０×Ａ×Ｂ個の電子によってできた引力です。
１４．  地球の引力について。
地球の引力は地球の磁気の光子です。地球の質量は５．９７４×１０２４Ｋｇです。
地球の質量にはいくつの電子があるか。
本発明者は、１電子から１秒間にできる磁気の光子の軌道エネルギーを１０−３１Ｊとして考えていますから、１電子を含む質量は１．２２４×１０−２６Ｋｇです。
地球の質量の中の電子は、５．９７４×１０２４Ｋｇ÷（１．２２４×１０−２６Ｋｇ）＝４．８８×１０５０個です。
４．８８×１０５０個の電子が１秒間に作る引力（磁気の光子の軌道エネルギー）はいくらか。
４．８８×１０５０個×１０−３１Ｊｍ＝４．８８×１０１９Ｊｍ＝４．８８×１０１９Ｎｍ２
地球の電子が１秒間に作る引力は、４．８８×１０１９Ｎｍ２です。
１５．  地球と物質ＡＫｇの間の引力は何個の電子によってできた引力か。図７
地球の質量の中の電子の数×物質ＡＫｇの電子の数×１電子で１秒間にできる磁気の光子の軌道エネルギー＝４．８８×１０５０個×Ａ×８．１７×１０２５個×１０−３１＝３．９８７×１０４５×Ａ個
地球と物質ＡＫｇの間の引力は４×１０４５×Ａ個の電子によってできた引力です。
１６．    地球の引力が地上の物質１Ｋｇに及ぼす引力は、距離を地球の半径として求められる。この根拠は何であるか。地球の作る磁気の光子の量と回転方向について。物質が作る磁気の光子の量と回転方向について。物質が地球に引かれる原理。図８
○地球の引力が地上の物質１Ｋｇに及ぼす引力は、距離を地球の半径として求められる。この根拠は何であるか。
地球のエネルギーは、中央になるほど大きくなる。これは電磁気のエネルギーが大きいからです。電磁気のエネルギーが大きく、軌道は小さいからです。しかし、電磁気である光子の軌道×エネルギーの値は一定です。磁気の光子の軌道×エネルギー（軌道エネルギー）は、１０−３１Ｊｍ＝１０−３１Ｎｍ２です。（本発明者は、１Ｋｇの中に存在する電子の数は８．１７×１０２５個であると考え、１電子を含む質量は１．２２４×１０−２６Ｋｇであると考え、磁気の光子の軌道エネルギーを１０−３１Ｊｍ＝１０−３１Ｎｍ２と考えています。）
それで、地球の中心も、地球のマグマの部分も、地表も、磁気の光子の軌道エネルギーは一定です。１０−３１Ｊｍです。
地球の中心も、地球のマグマの部分も、地表も磁気の光子の軌道エネルギー（引力）は一定です。１０−３１Ｊｍ＝１０−３１Ｎｍ２です。
地球の中心から地表まで、存在する磁気の光子の軌道エネルギー（引力）は１０−３１Ｊｍ＝１０−３１Ｎｍ２です。
それで、地球全体で、電子が１秒間に作る磁気の光子の軌道エネルギー（引力）は、４．８８×１０５０個×１０−３１Ｊｍ＝４．８８×１０１９Ｊｍ＝４．８８×１０１９Ｎｍ２です。
１Ｋｇの物質で１電子から１秒間にできる磁気の光子の軌道エネルギーも１０−３１Ｊｍです。
１Ｋｇの物質の電子が１秒間に作る磁気の光子の軌道エネルギーは、８．１７×１０２５個×１０−３１Ｊｍ＝８．１７×１０−６Ｊｍ＝８．１７×１０−６Ｎｍ２です。
即ち、地球で１電子から１秒間にできる磁気の光子の引力は１０−３１Ｊｍであり、４．８８×１０５０個の電子でできているから、地球全体で１秒間にできる磁気の光子の引力は、４．８８×１０１９Ｎｍ２である。
１Ｋｇの物質で１電子から１秒間にできる磁気の光子の引力は１０−３１Ｊｍであり、８．１７×１０２５個の電子でできているから、１Ｋｇの物質で１秒間にできる磁気の光子の引力は、８．１７×１０−６Ｎｍ２である。
地球の中とその周囲、１Ｋｇの物質の中とその周囲には、１電子から１秒間にできた１０−３１Ｎｍ２の磁気の光子が満ちている。
この磁気の光子は、地球の中心から地球の外側に向かって走る。
この磁気の光子は、物質の中心から外側に向かって走る。
それで、引力の中心から、引力の中心までを距離とする。
○地球の作る磁気の光子の量と回転方向について。物質が作る磁気の光子の量と回転方向について。物質が地球に引かれる原理。
地球の電子の回転方向と物質の電子の回転方向が同じなので、地球の電子が作る磁気の光子と、物質が作る磁気の光子は、同じ方向に回転するので引く力になる。
地球の作る磁気の光子の量は、１Ｋｇの物質の作る磁気の光子の量の何倍か。
地球全体で１秒間にできる磁気の光子の引力は、４．８８×１０１９Ｎｍ２である。
１Ｋｇの物質で１秒間にできる磁気の光子の引力は、８．１７×１０−６Ｎｍ２である。
地球の作る磁気の光子の量は、１Ｋｇの物質の作る磁気の光子の量の、
４．８８×１０１９Ｎｍ２÷（８．１７×１０−６Ｎｍ２）＝５．９７×１０２４倍です。
地球の作る磁気の光子の量は、１Ｋｇの物質の作る磁気の光子の量の、５．９７×１０２４倍ですから、引力は５．９７×１０２４倍なので、地球に引かれる。
地球の作る磁気の光子の量は、地球の質量÷物質の質量  倍です。
１７．  地球の引力と、ＭＫｇの物質の引力によってできる引力。
Ｆ＝地球の引力×ＭＫｇの物質の引力÷距離２＝地球の電子が１秒間に作る磁気の光子の軌道エネルギー×ＭＫｇの物質の電子が１秒間に作る磁気の光子の軌道エネルギー÷地球の半径２＝１０−３１Ｊｍ×４．８８×１０５０個×Ｍ×１０−３１Ｊｍ×８．１７×１０２５個÷地球の半径２＝４．８８×１０１９Ｊｍ×Ｍ×８．１７×１０−６Ｊｍ÷（６．３７８×１０６）２＝９．８Ｊｍ×Ｍ＝９．８ＭＮｍ２
１８．  重力をつかさどる素粒子である重力子は無い。あえて言うならば、重力（引力）の原因となっている重力因子（引力因子）は１個の磁気の光子である。地球の磁気の光子１個の軌道エネルギー（引力因子の引力）はどれ位か。
１電子が１秒間に作る磁気の光子の軌道エネルギーは１０−３１Ｊｍ＝１０−３１Ｎｍ２です。
１電子が１秒間に作る磁気の光子の数は１０２４個ですから、１個の磁気の光子の軌道エネルギーは、１０−３１−２４Ｊｍ＝１０−５５Ｊｍ＝１０−５５Ｎｍ２です。
この軌道エネルギーは、電子の自転によって磁気の光子ができたときの軌道×エネルギーです。
自転軌道は１．２５×１０−１８ｍです。エネルギーは８×１０−３８Ｊです。
磁気の光子１個の軌道×エネルギー＝１．２５×１０−１８ｍ×８×１０−３８Ｊ＝１０−５５Ｊｍ＝１０−５５Ｎｍ２です。
この磁気の光子１個が、重力と引力の原因と成っている重力因子（引力因子）です。地球の磁気の光子１個の軌道エネルギー（引力因子の引力）は、１０−５５Ｊｍ＝１０−５５Ｎｍ２です。
１０２４個で１０−３１Ｊｍ＝１０−３１Ｎｍ２です。
１９．  ボーア半径から算出する、磁気の光子１個の軌道エネルギー（引力因子の引力）と、１秒間にできる磁気の光子の軌道エネルギー（引力）はいくらか。図４
ボーア半径は５．２９１７７×１０−１１ｍですから、直径は１．０５８３５×１０−１０ｍです。自転軌道は１．０５８３５×１０−１８ｍです。１自転でできる磁気の光子のエネルギーは８×１０−３８Ｊです。
それで、１自転の軌道エネルギーは、１．０５８３５×１０−１８ｍ×８×１０−３８Ｊ＝８．４６６８×１０−５６Ｊｍです。
磁気の光子１個の軌道エネルギー（引力因子の引力）は、８．４６６８×１０−５６Ｊｍ＝８．４６６８×１０−５６Ｎｍ２です。
１電子で１秒間にできる磁気の光子の軌道エネルギー（引力）は、１．０５８３５×１０−１８ｍ×８×１０−３８Ｊ×１０２４＝８．４６６８×１０−３２Ｊｍ＝８．４６６８×１０−３２Ｎｍ２です。
２０．  ボーア直径は、物質となっている電子のラブの公転軌道の何倍か。物質と成っている電子のラブの公転軌道はどれ位か。図５
ボーア半径から算出した１電子で１秒間にできる磁気の光子の軌道エネルギー（引力）は、万有引力から算出した１電子で１秒間にできる磁気の光子の軌道エネルギー（引力）の何倍か。
８．４６６８×１０−３２Ｎｍ２÷（２．７３×１０−３２Ｎｍ２）＝３．１倍です。
それで、ボーア直径は、物質となっている電子のラブの公転軌道の３．１倍です。
物質と成っている電子のラブの公転軌道は、ボーア直径の３．１分の１です。
５．２９１７７×１０−１１ｍ×２÷３．１＝３．４１４×１０−１１ｍです。
よって、物質と成っている電子のラブが１秒間に作る磁気の光子の軌道エネルギー（引力）は、３．４１４×１０−１１ｍ×１０−８×８×１０−３８Ｊ×１０２４回＝２．７３×１０−３２Ｊｍです。
これは、万有引力で得た値と同じです。
２１．  ボーア磁子とボーア半径から得られた、１秒間にできる磁気の光子の軌道エネルギー（引力）を比較するとどのようであるか。
ボーア磁子では、１秒間にできる磁気の光子の軌道エネルギー（引力）は、９．２７４×１０−３２Ｊ・ｍ＝９．２７４×１０−３２Ｎｍ２です。
ボーア半径では、１秒間にできる磁気の光子の軌道エネルギー（引力）は、８．４６６８×１０−３２Ｊｍ＝８．４６６８×１０−３２Ｎｍ２です。
ほぼ同じ値です。
２２．  ボーア半径と本発明者の電子の軌道と、ボーア磁子と本発明者の１秒間にできる磁気の光子の軌道エネルギーの比較はどのようであるか。
ボーア直径は１．０５８３５×１０−１０ｍで、磁気の光子１個の軌道エネルギー（引力因子）は８．４７×１０−５６Ｊｍで、１秒間にできる磁気の光子の軌道エネルギー（引力）は、８．４７×１０−３２Ｊｍです。
ボーア磁子は９．２７４×１０−２４Ｊ／Ｔで、１秒間にできる磁気の光子の軌道エネルギー（引力）は、９．２７４×１０−３２Ｊｍです。
本発明者の電子の公転は１．２５×１０−１０ｍで、磁気の光子１個の軌道エネルギー（引力因子）は１０−５５Ｊｍで、１秒間にできる磁気の光子の軌道エネルギー（引力）は１０−３１Ｊｍです。
よって、ボーア半径と本発明者の電子の軌道と、ボーア磁子と本発明者の１秒間にできる磁気の光子の軌道エネルギーは大差ない。
【発明の効果】
【０００６】１．電子のラブの力は２×１０−２０Ｎである事が理解できた。
陽子のラブの力は３．８２×１０−１７Ｎである事が理解できた。
但し、これは原子の中を回転する場合で、電子のラブの秒速を４×１０６ｍ、陽子のラブの秒速を２×１０３ｍとした場合です。
導線を電子のラブが走る場合、秒速をＡｍとしますと、電子のラブの力は、８×１０−１４÷ＡＮです。
２．磁気の光子の軌道エネルギーの単位はＪｍ＝Ｎｍ２で、引力の単位です。よって磁気の光子の軌道エネルギーは引力であることが理解できた。
３．１電子が１秒間に作る磁気の光子の軌道エネルギーは、１０−３１Ｊｍです。磁気の光子１個の軌道エネルギーは１０−５５Ｊｍ＝１０−５５Ｎｍ２で、これが引力を作っている最小の単位です。
但し、これは、１Ｋｇの中に存在する電子の数を８．１７×１０２５個とし、１．２２４×１０−２６Ｋｇに電子が１個あるとする場合です。
但し、これは、電子のラブの公転が１．２５×１０−１０ｍで、自転軌道が１．２５×１０−１８ｍで、１自転で磁気の光子が８×１０−３８Ｊで、１秒間に１０２４回自転する場合です。
４．ボーア磁子の１電子でできる引力（磁気の光子の軌道エネルギー）は、万有引力係数によって求められた１電子でできる引力（磁気の光子の軌道エネルギー）の、３．４倍です。この事は、物質と成っている電子のラブの公転軌道は、ボーア直径の３．４分の１である事を理解できた。
５．物質Ａｋｇと物質ＢＫｇの間の引力は、６．６７×１０２０×Ａ×Ｂ個の電子できた引力です。
６．地球と物質ＡＫｇの間の引力は４×１０４５×Ａ個の電子できた引力です。
７．磁気の光子１個は、引力と重力の原因と成っている重力因子（引力因子）です。地球の磁気の光子１個の軌道エネルギー（引力因子の引力）は、１０−５５Ｊｍ＝１０−５５Ｎｍ２です。
８．ボーア半径から算出する、磁気の光子１個の軌道エネルギー（引力因子の引力）は、８．４６６８×１０−５６Ｊｍ＝８．４６６８×１０−５６Ｎｍ２です。
９．ボーア半径から計算した、１電子が１秒間にできる磁気の光子の軌道エネルギー（引力）は、ボーア磁子にほぼ等しいことが理解できた。
１０．ボーア半径と本発明者の電子の軌道と、ボーア磁子と本発明者の１秒間にできる磁気の光子の軌道エネルギーは大差ないことが理解できた。
【図面の簡単な説明】
【０００７】
【図１】原子の電子のラブの力は、２×１０−２０Ｎです。陽子のラブの力は、３．８２×１０−１７Ｎです。
【図２】１原子の質量が１．６６×１０−２７Ｋｇの場合、１電子でできる引力は１．３６×１０−３２Ｎｍ２です。
【図３】電子の質量＋陽子の質量＋中性子の質量＝９．１×１０−３１Ｋｇ＋１．６７２６×１０−２７Ｋｇ＋１．６７４９×１０−２７Ｋｇ＝３．３４８４×１０−２７Ｋｇです。これで計算しますと、１個の電子でできる引力（磁気の光子の軌道×エネルギー）は、２．７３×１０−３２Ｎｍ２です。
【図４】ボーア磁子の場合は、９．２７４×１０−３２Ｎｍ２です。ボーア半径では、８．４６６８×１０−３２Ｎｍ２です。本発明者の場合は、１０−３１Ｎｍ２です。
【図５】ボーア直径で算出した、１電子で１秒間にできる磁気の光子の軌道エネルギーは、万有引力係数で計算した場合の、３．１倍です。これは、電子が単独の場合の電子のラブの公転軌道は、物質となっている電子のラブの公転軌道の３．１倍に成っているからです。物質と成っている電子のラブの公転軌道は、ボーア直径の３．１分の１です。５．２９１７７×１０−１１ｍ×２÷３．１＝３．４１４×１０−１１ｍです。
【図６】物質Ａｋｇと物質ＢＫｇの間の引力は、６．６７×１０２０×Ａ×Ｂ個の電子によってできた引力です。
【図７】地球と物質ＡＫｇの間の引力は４×１０４５×Ａ個の電子のよってできた引力です。
【図８】地球の中心も、地球のマグマの部分も、地表も、磁気の光子の軌道エネルギー（引力）は一定です。１０−３１Ｊｍ＝１０−３１Ｎｍ２です。地球の中とその周囲、１Ｋｇの物質の中とその周囲には、１電子から１秒間にできた１０−３１Ｎｍ２の磁気の光子が満ちている。この磁気の光子は、地球の中心から地球の外側に向かって走る。地球中心の磁気の光子の軌道は小さくエネルギーは大きいからです。この磁気の光子は、物質の中心から外側に向かって走る。それで、引力の中心から、引力の中心までを距離とする。
【符号の説明】
１  電子のラブ
２  陽子のラブ
３  磁気の光子の軌道
４  中性子
５  ボーア磁子
６  ボーア半径
７  本発明者の軌道
８    単独と成っている電子のラブの公転軌道
９  物質となっている電子の公転軌道
１０  ＡＫｇの物質
１１  ＢＫｇの物質
１２  地球
１３  地球の中心
１４  物質の中心
１５  点は１０−３１Ｊｍ＝１０−３１Ｎｍ２の磁気の光子
【図１】
2006204095.tif 000003
【図２】
2006204095.tif 000004
【図３】
2006204095.tif 000005
【図４】
2006204095.tif 000006
【図５】
2006204095.tif 000007
【図６】
2006204095.tif 000008
【図７】
2006204095.tif 000009
【図８】
2006204095.tif 000010